(57)【要約】      （修正有）【課題】富酸素空気は疲労の早期回復などに有用に利用されているが、さらなる効能を高める手段を提供する。【解決手段】正四面体２の各頂点に１個ずつ、正四面体を構成する稜線上に１個もしくは２個、合計１２個の水晶球を配した正四面体をターンテーブル上で回転させる活性化装置を１ユニットとし、この活性化装置を１ユニットもしくは複数ユニットをカラム内に積重ねて所定の回転数で正四面体２を回転させる。カラムの外側に富酸素空気を流すことにより、活性化された富酸素空気を提供する。【選択図】図３
2009106332.tif 000002
【特許請求の範囲】
【請求項１】
酸素濃度が３０％以上である富酸素空気であって、下記条件の(1)と(2)の組合わせによって構成される活性化装置を通して得られることを特徴とする活性化された富酸素空気。
(1) 円筒形の容器であって、その内部の天井部に設置したＬＥＤで白色光を照射する部分と、その下部で回転するターンテーブル上に正四面体を載置し、該ターンテーブルを回転させる駆動装置が一体となっている活性化装置において、正四面体の４つの頂点に１個ずつ、６本の稜線上に１個もしくは２個、合計１２個の水晶球を配置した正四面体であり、該正四面体を駆動装置により回転させることを特徴とする活性化装置を１つのユニットとし、
(2) 上部に注入パイプ、下部に取出パイプを設けた外筒と内筒からなる二重構造のカラムであって、(1) 記載の活性化装置を１つのユニットとし、内筒内に１個もしくは複数個のユニットを積重ね、内筒の外壁と外筒の内壁に密着するよう内筒全長にわたり内筒上部から下部に向って内筒外壁に沿ってブレードがら旋状に巻き付けられ、富酸素空気を流すことを特徴とする活性化装置。
【請求項２】
酸素濃度が３０％以上である富酸素空気であって、下記条件の(1)と(2)の組合わせによって構成される活性化装置を通して得られることを特徴とする活性化された富酸素空気。
(1) 円筒形の容器であって、その内部の天井部に設置したＬＥＤで白色光を照射する部分と、その下部で回転するターンテーブル上に正四面体を載置し、該ターンテーブルを回転させる駆動装置が一体となっている活性化装置において、正四面体の４つの頂点に１個ずつ、６本の稜線上に１個もしくは２個、合計１２個の水晶球を配置した正四面体であり、該正四面体を駆動装置により回転させることを特徴とする活性化装置を１つのユニットとし、
(2) 上部に注入パイプ、下部に取出パイプを設けた外筒と内筒からなる二重構造のカラムであって、(1) 記載の活性化装置を１つのユニットとし、内筒内に１個もしくは複数個のユニットを積重ね、内筒の外壁と外筒の内壁の間の隙間に内筒の外側にホースがら旋状に巻き付けられており、ホースの両端は注入パイプと取出パイプに接続されており、ホース内に富酸素空気を流すことを特徴とする活性化装置。
【発明の詳細な説明】
【技術分野】
【０００１】
本発明は、活性化された富酸素空気に関する。
【背景技術】
【０００２】
従来から、高濃度酸素は種々の用途で使用されている。特に運動選手の疲労回復のためや病人の呼吸補助器材として頻繁に使用されている。もともと酸素には疲労回復、新陳代謝の向上、神経系の癒し効果、免疫力の向上、体内毒素の中和を助ける、等の効果があると云われている。本発明者は先に宇宙エネルギーを通常レベルで活用できる装置を提案している。この装置を使って高濃度酸素を処理すれば、さらなる酸素の効能が期待できる。
【特許文献１】特願２００７−２４４１７０号
【発明の開示】
【発明が解決しようとする課題】
【０００３】
上述のように、酸素自体は有用な効能を有しているが、その効能をさらに高めれば、今まで知られていなかったさらなる効果が発現される可能性がある。この可能性を見出すため本発明者は研究を重ねた結果、特殊な活性化装置で富酸素空気を処理することにより目的が達せられることを見出し、本発明を完成させた。
【課題を解決するための手段】
【０００４】
すなわち、本発明の要旨とするところは、酸素濃度が３０％である富酸素空気であって、下記条件の(1)と(2)の組合わせによって構成される活性化装置を通して得られることを特徴とする活性化された富酸素空気、
(1) 円筒形の容器であって、その内部の天井部に設置したＬＥＤで白色光を照射する部分と、その下部で回転するターンテーブル上に正四面体を載置し、該ターンテーブルを回転させる駆動装置が一体となっている活性化装置において、正四面体の４つの頂点に１個ずつ、６本の稜線上に１個もしくは２個、合計１２個の水晶球を配置した正四面体であり、該正四面体を駆動装置により回転させることを特徴とする活性化装置を１つのユニットとし、
(2) 上部に注入パイプ、下部に取出パイプを設けた外筒と内筒からなる二重構造のカラムであって、(1) 記載の活性化装置を１つのユニットとし、内筒内に１個もしくは複数個のユニットを積重ね、内筒の外壁と外筒の内壁に密着するよう内筒全長にわたり内筒上部から下部に向って内筒外壁に沿ってブレードがら旋状に巻き付けられ、富酸素空気を流すことを特徴とする活性化装置。
または、酸素濃度が３０％である富酸素空気であって、下記条件の(1)と(2)の組合わせによって構成される活性化装置を通して得られることを特徴とする活性化された富酸素空気、
(1) 円筒形の容器であって、その内部の天井部に設置したＬＥＤで白色光を照射する部分と、その下部で回転するターンテーブル上に正四面体を載置し、該ターンテーブルを回転させる駆動装置が一体となっている活性化装置において、正四面体の４つの頂点に１個ずつ、６本の稜線上に１個もしくは２個、合計１２個の水晶球を配置した正四面体であり、該正四面体を駆動装置により回転させることを特徴とする活性化装置を１つのユニットとし、
(2) 上部に注入パイプ、下部に取出パイプを設けた外筒と内筒からなる二重構造のカラムであって、(1) 記載の活性化装置を１つのユニットとし、内筒内に１個もしくは複数個のユニットを積重ね、内筒の外壁と外筒の内壁の間の隙間に内筒の外側にホースがら旋状に巻き付けられており、ホースの両端は注入パイプと取出パイプに接続されており、ホース内に富酸素空気を流すことを特徴とする活性化装置。
である。
【発明の効果】
【０００５】
本発明によれば、活性化装置を通して処理した富酸素空気中の酸素は、処理させていない酸素に比べ高いエネルギーを有している。そのため水中に噴出させた場合でも溶存酸素濃度が高くなり、皮膚から体内へ浸透する力も大きくなるので、酸素の効力を利用することができる。例えば、薬剤を使用しても完治できなかったアトピー性皮膚炎も、本発明の活性化装置を通して得られた活性化された富酸素空気を水中に噴出し、その水中に皮膚を曝すことによりアトピー性皮膚炎の症状を大幅に軽減させることができ、１カ月間以上の継続使用により症状を完治させることができた例も見られた。
【発明を実施するための最良の形態】
【０００６】
以下に本発明を詳細に説明する。本発明で富酸素空気とは、通常の空気より酸素濃度が高い空気のことをいう。また活性化装置とは、本発明者が先に出願した特願２００７−２４４１７号に記載の装置のことである。ただし、該先願発明では活性化装置のことを宇宙エネルギー変換装置と称している。本装置５は、図１に示す各稜線に１〜２個の水晶球を配置した正四面体２をターンテーブル３上に載置し回転させる駆動装置４から構成されている（図２）。これが１ユニットの活性化装置となる。該活性化装置複数ユニットを透明で円筒状の内筒６内に積重ねる。
【０００７】
図１に示すように、水晶球は正四面体の４面を構成する正三角形の各頂点に１個ずつ、各辺上に１〜２個はめ込まれており、どの三角形でも計７個の水晶球を持つように配置させてある。また、活性化ユニット５の上面には正三角形上に配置された水晶球の配置図と同じ形に配置された７個のＬＥＤ（１）があり、白色光を照射するようになっている。
【０００８】
積重ねられた各ユニットは、それぞれに付属する駆動装置４により、正四面体を回転させるようになっている。例えば、最上部（第１段目）ユニットの正四面体は左回転で９回／ｍｉｎ．、２段目のものは左回転で１８回／ｍｉｎ．というように、下段にいくに従い回転数を大きくなるよう設定してある。回転方向は左回りが好ましく、回転数は９の倍数で増加するように設定するのが好ましい。最下段のユニットの正四面体の回転数は無限大とするが、実際は静止している。これは無限大の回転数で回転することは静止した状態として視覚されるからである。
【０００９】
この活性化装置の概略図を図３に示してある。透明な内筒６を内部に収めるような大きさの外筒７があり、外筒７と内筒６の隙間には、上部から下部に向って流体が流れるようら旋状にブレードもしくはホース８が設けられている。ブレードもしくはホース８の巻付け方向は右回りである。ブレードは内筒外壁と外筒内壁に接触している。外筒の内壁は活性化装置から放射されるエネルギーが増強されるよう鏡面体１１になっている。鏡面体は設置されている方が好ましい。
【００１０】
活性化ユニットの数は１〜７個が好ましく用いられる。ユニット数が１個でも効果は認められるが、２個以上７個以下が好ましい。ユニットの個数にもよるが、ユニット中の正四面体の回転数は９の倍数が好ましく、最下段のユニットの正四面体は静止させておいても良いし、９の倍数で回転させておいても良い。
【００１１】
本発明で使用する富酸素空気は市販の酸素濃縮器を使用することができる。富酸素空気の酸素濃度は、空気量が低容量でも効率を良くするため３０％以上、好ましくは９０％以上の酸素濃度で使用する。酸素濃縮器より供給される富酸素空気は活性化装置の上部の注入パイプ９を通して装置内に導かれ、ブレードに沿って下部に流れ、取出パイプ１０から取出される。
【００１２】
また、上記ブレードの代わりにホース８を使うこともできる。ブレードの製作には内筒の外壁と外筒の内壁の間に隙間なくら旋状に設置しなければならなかったが、ホースを使用すればホースと注入パイプを接続し、内筒の外側にら旋状に巻き付けて後、取出パイプに接続することだけで足りるので非常に有利である。ホースの材質は柔軟性のあるプラスチックで良い。ホースの内径は通気量によって変えれば良く、通常は３〜１０ｍｍ程度が好ましく用いられる。
【００１３】
もともと酸素には疲労回復、新陳代謝の向上、神経系の癒し効果、免疫力の向上、体内毒素の中和を助ける、等の効果があると云われている。カラム内を流れる富酸素空気は、複数の活性化装置ユニットから放射される異なった振動数の波動エネルギーを受け、エネルギーを蓄積した富酸素空気となる。
【００１４】
活性化装置を通って取出された、より活性化された富酸素空気は、次いでバブリング装置を通して水中に噴出させる。噴出量は１Ｌ／ｍｉｎ．〜３０Ｌ／ｍｉｎ．の範囲が好ましい。１Ｌ／ｍｉｎ．以下では活性化された酸素の効果があまり期待できず、３０Ｌ／ｍｉｎ．以上では酸素の効果は十分に期待できるものの、経済的に不利になるので好ましくない。
【００１５】
水中における酸素ガスの飽和溶存酸素量は３０℃で７．５３ｍｇ／Ｌ、４０℃で６．５９ｍｇ／Ｌ程度である。これを本発明の手法による水中へ酸素を噴出させると、噴出時間とともに、溶存酸素量は増加する。また、後述の実施例でも示すように、未処理の富酸素空気を水中に噴出させた場合の溶存酸素量と活性化処理後の富酸素空気を水中に噴出させた場合の溶存酸素量を比べてみると、明らかに処理後の場合の方が溶存酸素量は増加していることがわかる。
【００１６】
また、本発明の活性化された富酸素空気中の酸素は、処理されていない酸素に比べ、高いエネルギーを有している。そのため、水中に溶存している通常の酸素と置き換わるという現象を生起しているものと考えられる。さらに継続して噴出されるため過飽和の状態になっていることから、皮膚から体内へ浸透する力も大きく、また溶解しない活性化された酸素は水中から空気中に放出されるので、空気中の酸素濃度が上昇する。このため、呼吸によっても活性化された酸素を効率良く体内に吸収できるので、酸素の効果がいかんなく発揮されると考えられる。
【実施例】
【００１７】
以下、実施例にて本発明を説明する。
【００１８】
（実施例１）
図２に示す活性化装置ユニットを１ユニットとして使用した。活性化装置の直径は１５０ｍｍ、高さは１７５ｍｍであった。この装置を４個、直径１６０ｍｍのアクリル樹脂製の透明カラム（内筒）に積み重ね、さらに外側に内径４ｍｍ、外径６ｍｍの塩ビ製ホースを右回りにら旋状に巻きつけ、これを一体として内径２００ｍｍのアクリル樹脂製カラム（外筒）に入れた。外筒カラムの上部には注入パイプが設けられ、ホースの一端と接続し、被処理物を注入できるようにし、カラム下部には取出パイプを設け、ホースの他端と接続した。
【００１９】
活性化ユニット中の正四面体の回転数は、上段から順に左回りで１８回／ｍｉｎ．、７２／ｍｉｎ．、２８８／ｍｉｎ．、０回／ｍｉｎ．となるように調整した。
【００２０】
富酸素空気は市販の酸素濃縮器を使用した。酸素濃度は９２％で流量は４Ｌ／ｍｉｎ．に調節した。処理装置を通した富酸素空気は取出パイプより取出し、バブリング装置［株式会社貝沼産業社製、商品名：タイニーバブル］を使って２５０Ｌの浴槽に噴出させた。浴温は４０℃にした。
【００２１】
噴出時間と浴中の溶存酸素量の関係を測定した。溶存酸素量の測定は、セントラル化学株式会社製のＤＯモニターＣＧＳ−５を使用した。測定結果を表１に示す。対照区は活性化装置を通さない上述の富酸素空気である。
【００２２】
【表１】
2009106332.tif 000003
【００２３】
水中における水温と飽和溶存酸素量は、３０℃で７．５３ｍｇ／Ｌ、４０℃で６．５９ｍｇ／Ｌ程度である。富酸素空気を水中に噴出させると、噴出時間とともに溶存酸素量は増加する。これは富酸素空気を吹込むことにより、過飽和状態になったものと考えられる。
表１より、活性化処理した富酸素空気の方が明らかに溶存酸素量が多くなっていることがわかる。
【図面の簡単な説明】
【００２４】
【図１】本発明の正四面体を上から見た平面図。
【図２】本発明の活性化装置を示す概略図。
【図３】連続富酸素空気処理装置を示す概略図。
【符号の説明】
【００２５】
１  ……  ＬＥＤ
２  ……  正四面体
３  ……  ターンテーブル
４  ……  駆動装置
５  ……  活性化装置ユニット
６  ……  内筒
７  ……  外筒
８  ……  ブレードまたはホース
９  ……  注入パイプ
１０  ……  取出パイプ
１１  ……  鏡面体
【図１】
2009106332.tif 000004
【図２】
2009106332.tif 000005
【図３】
2009106332.tif 000006